(57)【特許請求の範囲】
【請求項１】
交流電源から供給された交流電圧を整流する整流器と、
リアクタ、スイッチング素子および逆流防止素子を有し、前記整流器の出力電圧をチョッピングにより昇圧する昇圧コンバータ回路と、
前記昇圧コンバータ回路の出力を平滑する平滑コンデンサと、
前記平滑コンデンサで平滑された直流電圧を検出する電圧検出部と、
前記直流電圧を交流電圧に変換し、該交流電圧をモータに供給するインバータ回路と、
前記昇圧コンバータ回路のスイッチング素子を制御する制御手段と、
を備え、
前記制御手段は、
前記電圧検出部により検出された直流電圧の脈動幅が所定の閾値よりも大きくなったとき、前記インバータ回路が交流電圧を供給する前記モータの回転数を記憶するとともに、前記昇圧コンバータ回路による昇圧動作を開始させ、
前記モータの回転数が、記憶した前記回転数よりも大きい場合、前記昇圧コンバータ回路による昇圧動作を継続させる
ことを特徴とするモータ駆動制御装置。
【請求項２】
前記制御手段は、
前記モータの回転数が、記憶した前記回転数を下回る場合、前記昇圧コンバータ回路による昇圧動作を停止させる
ことを特徴とする請求項１記載のモータ駆動制御装置。
【請求項３】
前記制御手段は、
前記モータの回転数に応じた指令電圧値が予め設定され、
前記昇圧コンバータ回路による昇圧動作時に、該昇圧コンバータ回路の出力電圧が前記指令電圧値となるように、前記昇圧コンバータ回路のスイッチング素子を制御する
ことを特徴とする請求項１または２記載のモータ駆動制御装置。
【請求項４】
前記リアクタに流れるリアクタ電流を検出する電流検出部を備え、
前記制御手段は、
前記電圧検出部により検出された前記直流電圧、前記電流検出部により検出された前記リアクタ電流、及び前記昇圧コンバータ回路の指令電圧値に基づき、前記指令電圧に対する前記整流器の出力電圧の割合に応じたスイッチング指令値を求め、
前記スイッチング指令値に基づき、前記昇圧コンバータ回路のスイッチング素子の駆動を制御すると共に、前記交流電源の電圧不平衡の大きさを検出し、
前記交流電源の電圧不平衡の大きさが所定値を下回る場合、前記昇圧コンバータ回路による昇圧動作を停止させる
ことを特徴とする請求項１〜３の何れか一項に記載のモータ駆動制御装置。
【請求項５】
前記インバータ回路から前記モータに供給される入力電力を検出する入力電力検出手段を備え、
前記制御手段は、
前記電圧検出部により検出された直流電圧の脈動幅が所定の閾値よりも大きくなり、且つ、前記入力電力検出手段により検出された入力電力が所定電力よりも大きくなったとき、前記インバータ回路が交流電圧を供給する前記モータの回転数を記憶するとともに、前記昇圧コンバータ回路による昇圧動作を開始させ、
前記モータの回転数が、記憶した前記回転数よりも大きい場合であって、前記入力電力検出手段により検出された入力電力が所定電力よりも大きい場合、前記昇圧コンバータ回路による昇圧動作を継続させる
ことを特徴とする請求項１〜４の何れか一項に記載のモータ駆動制御装置。
【請求項６】
前記入力電力検出手段は、
前記インバータ回路の出力電圧指令値と前記インバータ回路の出力電流とに基づき前記入力電力を演算する
ことを特徴とする請求項５記載のモータ駆動制御装置。
【請求項７】
前記スイッチング素子および前記逆流防止素子の少なくとも一方は、
ワイドバンドギャップ半導体によって形成されている
ことを特徴とする請求項１〜６の何れか一項に記載のモータ駆動制御装置。
【請求項８】
前記ワイドバンドギャップ半導体は、
炭化珪素、窒化ガリウム系材料又はダイヤモンドである
ことを特徴とする請求項７記載のモータ駆動制御装置。
【請求項９】
請求項１〜８の何れか一項に記載のモータ駆動制御装置と、
前記モータ駆動制御装置によって駆動されるモータを有する圧縮機と、
前記圧縮機、凝縮器、絞り手段、及び蒸発器を有し、冷媒を循環させる冷媒回路とを備えた
ことを特徴とする冷凍空気調和装置。
【請求項１０】
請求項５記載のモータ駆動制御装置と、
前記モータ駆動制御装置によって駆動されるモータを有する圧縮機と、
前記圧縮機、凝縮器、絞り手段、蒸発器を有し、冷媒を循環させる冷媒回路と、
を有し、
前記入力電力検出手段は、
前記圧縮機の吐出圧力と、前記圧縮機の回転数とに基づき前記入力電力を演算する
ことを特徴とする冷凍空気調和装置。
【発明の詳細な説明】
【技術分野】
【０００１】
この発明は、モータ駆動制御装置及びそれを備えた冷凍空気調和装置に関するものである。
【背景技術】
【０００２】
冷凍空気調和装置において、圧縮機やファンなどのモータを駆動する大容量のインバータを有するモータ駆動制御装置では三相全波整流回路によりインバータ駆動用の直流電圧を生成する方式が一般的であるが、モータの高効率駆動化のために直流電圧を昇圧できるようにしているものもある。
これは冷凍空気調和装置では、定格運転におけるエネルギー消費効率（ＣＯＰ）を高めるため圧縮機用のモータは、定格回転数付近で電源電圧と同じ出力電圧となるように設計することが多く、それを超える過負荷運転時の高速回転域では昇圧コンバータ回路がなければインバータの出力電圧飽和により出力電流が増大しモータ効率やインバータ効率が低下するためである。
このような直流電圧の昇圧コンバータ回路を具備したモータ駆動制御装置では、直流電圧の昇圧が必要な高速回転の運転領域のみ昇圧コンバータ回路を動作させることで、駆動回路の低損失化を図っている。また、昇圧コンバータ回路を動作させることで三相交流電源の電圧不平衡発生時による三相電流の増大または整流後の直流母線電圧の脈動を抑制することができる（例えば、特許文献１参照）。
【先行技術文献】
【特許文献】
【０００３】
【特許文献１】特開２０１０−１８７５２１号公報
【発明の概要】
【発明が解決しようとする課題】
【０００４】
直流電圧の昇圧コンバータ回路を具備したモータ駆動制御装置では、インバータ回路（駆動回路）の損失を低減させるため、昇圧動作が必要になるまで昇圧コンバータ回路を動作させないようにしている。
昇圧コンバータ回路を動作させない運転状態では、三相電源の相間電圧に不平衡（アンバランス）があると、三相全波整流回路で生成する直流電圧の脈動成分がモータの負荷（冷凍空気調和装置の負荷）に比例して大きくなる。
この電圧脈動が大きくなると、平滑コンデンサに流入するリプル電流が増加し、平滑コンデンサ内部の芯温度が上昇することで、寿命劣化や最悪のケースでは防爆弁作動により故障に至るという課題があった。
また、平滑コンデンサの電圧脈動により、モータの運転状態（冷凍空気調和装置の運転状態）によっては、インバータ回路の出力電圧にも脈動を生じ、モータが駆動する圧縮機やファンモータを安定に駆動できずに異常停止してしまうという課題があった。
また、電圧脈動増大による平滑コンデンサの故障を回避するため、所定の電圧脈動幅を超えないように冷凍空気調和装置の能力（負荷）を絞る制御をしているものもあり、冷凍空気調和装置の能力が十分に発揮できないという課題があった。
【０００５】
こういった課題に対し、昇圧コンバータ回路により直流電圧を昇圧させることで、不平衡発生時による平滑コンデンサ両端電圧の脈動を抑制することができるが、常に昇圧動作を行うとインバータ回路（駆動回路）による損失の増加が課題となる。
また、平滑コンデンサの電圧脈動から不平衡を検知した場合にのみ昇圧動作を行う場合は、昇圧後の電圧脈動が減少することによって動作が不安定になるといった課題があった。つまり、モータの負荷が大きく直流電圧の脈動成分が大きい状態において、昇圧動作を開始すると電圧脈動が減少するが、この電圧脈動の減少を検知して昇圧動作を停止すると、モータの負荷が大きいままの状態では直流電圧の脈動成分が大きくなるため、再び昇圧動作が行われることとなり、制御動作が不安定になる。
【０００６】
この発明は、上記のような課題を解決するためになされたもので、交流電源の相間電圧に不平衡がある場合であっても、平滑コンデンサの寿命劣化を抑制し、制御の安定性の向上および信頼性の向上を図ることができるモータ駆動制御装置及びそれを備えた冷凍空気調和装置を得るものである。
【課題を解決するための手段】
【０００７】
この発明に係るモータ駆動制御装置は、交流電源から供給された交流電圧を整流する整流器と、リアクタ、スイッチング素子および逆流防止素子を有し、前記整流器の出力電圧をチョッピングにより昇圧する昇圧コンバータ回路と、前記昇圧コンバータ回路の出力を平滑する平滑コンデンサと、前記平滑コンデンサで平滑された直流電圧を検出する電圧検出部と、前記直流電圧を交流電圧に変換し、該交流電圧をモータに供給するインバータ回路と、前記昇圧コンバータ回路のスイッチング素子を制御する制御手段と、を備え、前記制御手段は、前記電圧検出部により検出された直流電圧の脈動幅が所定の閾値よりも大きくなったとき、前記インバータ回路が交流電圧を供給する前記モータの回転数を記憶するとともに、前記昇圧コンバータ回路による昇圧動作を開始させ、前記モータの回転数が、記憶した前記回転数よりも大きい場合、前記昇圧コンバータ回路による昇圧動作を継続させるものである。
【発明の効果】
【０００８】
この発明は、交流電源の相間電圧に不平衡がある場合であっても、平滑コンデンサの寿命劣化を抑制し、制御の安定性の向上および信頼性の向上を図ることができる。
【図面の簡単な説明】
【０００９】
【図１】この発明の実施の形態１におけるモータ駆動制御装置を備えた冷凍空気調和装置の構成を示す図である。
【図２】この発明の実施の形態１における制御手段の構成を示す図である。
【図３】この発明の実施の形態１における昇圧コンバータの制御動作を示すフローチャートである。
【図４】インバータ出力周波数と昇圧レベルの関係の一例を表した図である。
【図５】電源不平衡によるスイッチング指令の変化の様子を示す図である。
【図６】この発明の実施の形態２におけるモータ駆動制御装置を備えた冷凍空気調和装置の構成を示す図である。
【図７】この発明の実施の形態２における昇圧コンバータの制御動作を示すフローチャートである。
【図８】この発明の実施の形態３におけるモータ駆動制御装置を備えた冷凍空気調和装置の構成を示す図である。
【発明を実施するための形態】
【００１０】
実施の形態１．
図１は、この発明の実施の形態１におけるモータ駆動制御装置を備えた冷凍空気調和装置の構成を示す図である。
図１において、１は三相交流電源、２は三相交流電源１の交流電圧を整流する三相整流器である。三相整流器２は６個の整流ダイオードをブリッジ接続した構成となっている。３は昇圧コンバータ回路である。昇圧コンバータ回路３は、リアクタ４と、例えばＩＧＢＴ（Insulated Gate Bipolar Transistor）のようなスイッチング素子５と、例えばファストリカバリダイオードのような逆流防止素子６とにより構成される。
７は昇圧コンバータ回路３の出力を平滑する平滑コンデンサである。８はリアクタ４に流れるリアクタ電流を検出する電流検出部、９は昇圧コンバータ回路３の出力電圧（平滑コンデンサ７の両端の電圧）を検出する電圧検出部である。
１０は平滑コンデンサ７で平滑された電圧を交流電圧（ＰＷＭ電圧）に変換して圧縮機３０のモータを駆動するインバータ回路である。インバータ回路１０は、例えばＩＧＢＴのようなスイッチング素子で構成されている。１１はインバータ回路１０から圧縮機３０のモータに供給される電流を検出するモータ電流検出部である。
２０はマイクロコンピュータなどにより構成される制御手段である。制御手段２０は、電流検出部８、電圧検出部９の出力信号よりスイッチング素子５を動作させる駆動信号を生成する。また、制御手段２０は、モータ電流検出部１１の検出信号からインバータ回路１０を動作させるＰＷＭ駆動信号を生成する。
【００１１】
２１は直流電圧脈動幅検出手段である。直流電圧脈動幅検出手段２１は、電圧検出部９により検出された直流電圧の脈動幅（リプル電圧）を検出する。
２２は回転数記憶手段である。回転数記憶手段２２は、昇圧コンバータ回路３の昇圧動作開始時のモータの回転数を記憶する。
２３は昇圧レベル最適化手段である。昇圧レベル最適化手段２３は、インバータ回路１０のインバータ出力周波数に応じた指令電圧値（昇圧レベル）が予め設定されている。例えば、インバータ出力周波数と指令電圧値との対応テーブルを予め記憶する。
２４は電源電圧不平衡検出手段である。電源電圧不平衡検出手段２４は、昇圧動作中において、三相交流電源の相電圧の不平衡状態を検出する。詳細は後述する。
【００１２】
３０は圧縮機、３１は凝縮器、３２は絞り手段、３３は蒸発器である。圧縮機３０、凝縮器３１、絞り手段３２、及び蒸発器３３は冷媒配管で順次接続され、冷媒を循環させる冷媒回路を構成する。制御手段２０は、冷凍空気調和装置の冷媒回路において、所望の冷凍空調能力が得られるように圧縮機３０のモータの回転を制御する。
【００１３】
次に、昇圧コンバータ回路３の出力電圧を制御する制御手段２０の構成について説明する。
図２は、この発明の実施の形態１における制御手段の構成を示す図である。なお、図２においては、昇圧コンバータ回路３の制御に関する構成についてのみ図示している。
図２において、２０１は電圧指令演算手段である。電圧指令演算手段２０１は、昇圧コンバータ回路３の出力電圧に対する指令電圧値と、電圧検出部９にて検出した昇圧コンバータ回路３の出力電圧検出値とから電圧指令値を演算する。例えば、電圧指令演算手段２０１は、指令電圧値と出力電圧検出値との差分を入力とし、電圧指令値を操作量として、比例積分制御（ＰＩ制御）を行う。
２０２は電流指令演算手段である。電流指令演算手段２０２は、電圧指令演算手段２０１にて演算した電圧指令値と、電流検出部８にて検出したリアクタ電流とから、スイッチング素子５のスイッチング指令（オンデューティ指令値）を演算する。例えば、電流指令演算手段２０２は、電圧指令値とリアクタ電流との差分を入力とし、スイッチング素子５のオンデューティ比を操作量として、比例積分微分制御（ＰＩＤ制御）を行う。
２０３は駆動パルス演算手段である。駆動パルス演算手段２０３は、電流指令演算手段２０２にて演算したスイッチング指令に基づいて、キャリア周波数に同期してスイッチング素子５のオンデューティを設定した駆動パルス（ＰＷＭ指令）を生成する。電源電圧不平衡検出手段２４は、電流指令演算手段２０２にて演算されたスイッチング指令に基づいて、三相交流電源１の電圧不平衡を検出する。詳細は後述する。
【００１４】
上記のように構成されたモータ駆動制御装置の動作の概要について説明する。
まず、三相交流電源１の交流電圧は三相整流器２で整流されて直流電圧になる。昇圧コンバータ回路３の昇圧動作が停止状態の場合には、三相整流器２で整流されて直流電圧が平滑コンデンサ７により平滑されてインバータ回路１０に入力される。
制御手段２０により昇圧コンバータ回路３の昇圧動作が開始されると、昇圧コンバータ回路３のスイッチング素子５のオンオフが制御され、そのチョッピングにより、三相整流器２からの直流電圧は昇圧される。
ここで、昇圧コンバータ回路３において、スイッチング素子５がオンした場合には、逆流防止素子６は導通が阻止され、リアクタ４には三相整流器２によって整流された電圧が印加される。一方、スイッチング素子５がオフした場合には、逆流防止素子６は導通し、リアクタ４には、スイッチング素子５オン時と逆向きの電圧が誘導される。このとき、エネルギーの観点からは、スイッチング素子５のオン時にリアクタ４に蓄積されたエネルギーが、スイッチング素子５のオフ時に負荷であるインバータ回路１０へ移送されると見ることができる。したがって、スイッチング素子５のオンデューティを制御することで、昇圧コンバータ回路３の出力電圧を制御することができる。
【００１５】
制御手段２０は、モータ電流検出部１１の出力信号よりインバータ回路１０を動作させる駆動信号を生成する。例えば制御手段２０は、モータ電流検出部１１の検出信号を座標変換し、電流制御を行うことで電圧指令値を得る。この指令値を座標変換し、インバータ回路１０の各スイッチング素子を動作させるＰＷＭ信号を生成する。
【００１６】
次に、本実施の形態における昇圧コンバータ回路３の制御動作について説明する。
図３は、この発明の実施の形態１における昇圧コンバータの制御動作を示すフローチャートである。
制御手段２０は、インバータ回路１０を動作させ圧縮機３０のモータが駆動状態において、昇圧コンバータ回路３の制御動作を開始する。なお、初期状態において昇圧コンバータ回路３は停止状態である。
以下、昇圧コンバータ回路３の制御動作を、図３の各ステップに基づき説明する。
【００１７】
（Ｓ１０）
直流電圧脈動幅検出手段２１は、電圧検出部９により検出された直流電圧の脈動幅（リプル電圧ΔＶ）を検出する。
【００１８】
（Ｓ１１）
制御手段２０は、圧縮機３０のモータの回転数（以下「圧縮機回転数」ともいう）が、予め設定した高速運転時の回転数（通常昇圧領域）であるか否かを判断する。
【００１９】
（Ｓ１２）
圧縮機回転数が高速運転時の回転数の際は、インバータ回路１０の出力電圧指令値が、入力電圧（三相整流器２の直流電圧）よりも大きい過変調となるため、三相交流電源１が不平衡状態であるか否かに関わらず昇圧動作を行う必要がある。制御手段２０は、昇圧コンバータ回路３のスイッチング素子５を制御して昇圧動作を開始させる。この昇圧動作における指令電圧値（昇圧レベル）については後述する。
これにより、通常の昇圧領域では、後述する電源電圧不平衡検出手段２４による検出値が所定値より低い場合であっても昇圧動作が行われる。
【００２０】
（Ｓ１３）
一方、圧縮機回転数が高速運転時の回転数（通常昇圧領域）でない場合、ステップＳ１０で検出した直流電圧の脈動幅（リプル電圧ΔＶ）が、所定の閾値よりも大きいか否かを判断する。この閾値は、平滑コンデンサ７に流入するリプル電流による芯温度上昇値、素子寿命などを考慮し、直流電圧の脈動幅が許容範囲内に収まるような値に設定する。
直流電圧の脈動幅（リプル電圧ΔＶ）が所定の閾値以下の場合は、ステップＳ１６に進む。
【００２１】
（Ｓ１４）
直流電圧の脈動幅（リプル電圧ΔＶ）が所定の閾値よりも大きい場合、制御手段２０は、現在の圧縮機回転数を、昇圧動作開始時の回転数（Ｎ１）として回転数記憶手段２２に記憶させる。この圧縮機回転数は、インバータ回路１０の出力周波数から検知することができる。
（Ｓ１５）
次に、制御手段２０は、昇圧コンバータ回路３のスイッチング素子５を制御して昇圧動作を開始させる。この昇圧動作における指令電圧値（昇圧レベル）について図４により説明する。
【００２２】
図４は、インバータ出力周波数と昇圧レベルの関係の一例を表した図である。
昇圧レベル最適化手段２３には、インバータ回路１０のスイッチングによる損失を低減するために、予めインバータ出力周波数に応じた最適な直流電圧値をテーブル化して記憶している。例えば図４に示すように、インバータ出力周波数（モータの回転数）に応じた母線電圧（インバータ回路１０の入力電圧）の関係が予め設定されている。
制御手段２０は、昇圧レベル最適化手段２３に設定されたテーブルを参照して、インバータ出力周波数に応じた昇圧量（指令電圧値）により、昇圧コンバータ回路３のスイッチング素子５を駆動する。これにより、昇圧動作中においては、母線電圧が、昇圧レベル最適化手段２３に設定されたインバータ出力周波数に応じた最適な直流電圧に昇圧される。
【００２３】
（Ｓ１６）
ステップＳ１３において、直流電圧の脈動幅（リプル電圧ΔＶ）が所定の閾値以下の場合、制御手段２０は、昇圧コンバータ回路３の昇圧動作を継続して実施しているか否かを判断し、昇圧動作を継続実施していない場合は、ステップＳ２０に進み、昇圧コンバータ回路３の停止処理を行う。
【００２４】
（Ｓ１７）
昇圧動作を継続実施している場合、制御手段２０は、回転数記憶手段２２に記憶された昇圧動作開始時の圧縮機回転数（Ｎ１）を参照し、現在の圧縮機回転数が昇圧動作開始時の圧縮機回転数（Ｎ１）よりも大きいか否かを判断する。
現在の圧縮機回転数が昇圧動作開始時の圧縮機回転数（Ｎ１）よりも大きくない場合、ステップＳ２０に進み、昇圧コンバータ回路３の停止処理を行う。
一方、現在の圧縮機回転数が昇圧動作開始時の圧縮機回転数（Ｎ１）よりも大きい場合、上述したステップＳ１５に進み、昇圧コンバータ回路３の昇圧動作を開始（継続）する。
このような動作により、昇圧動作が開始して直流電圧の脈動幅が減少した場合においても、圧縮機回転数が昇圧動作開始時の回転数より高い場合は、常に昇圧コンバータ回路３の昇圧動作を継続することが可能となる。
【００２５】
（Ｓ１８）
次に、電源電圧不平衡検出手段２４は、昇圧コンバータ回路３のスイッチング素子５を駆動するスイッチング指令の変化から、昇圧動作時における三相交流電源１の不平衡状態を検知する。
【００２６】
ここで、電源電圧不平衡検出手段２４による、三相交流電源１の電圧不平衡の検出動作の一例について説明する。
昇圧コンバータ回路３により電圧を昇圧する場合、電流指令演算手段２０２が演算したスイッチング指令値Ｄには次の関係がある。
【数１】
0005748694.tif 000002
ここで、Ｅｄは昇圧前の電圧であり、三相整流器２の出力電圧である。Ｅｏは指令電圧値である。つまり、スイッチング指令値Ｄは、指令電圧Ｅｏに対する三相整流器２の出力電圧Ｅｄの割合に応じた値として求めることができる。
【００２７】
図５は、電源不平衡によるスイッチング指令の変化の様子を示す図である。
図５において、左側は三相交流電源１に電圧不平衡がない場合（電源不平衡なし）を示し、右側は三相交流電源１に電圧不平衡がある場合（電源不平衡あり）を示している。また、上段のグラフは三相交流電源１の各相の電圧波形を示し、中段は三相整流器２の出力電圧Ｅｄ（整流後の電圧）を示し、下段はスイッチング指令値Ｄを示している。
【００２８】
図５上段において、三相交流電源１の電源電圧をＶｓ、電源周波数をｆｓとすると、図５中段に示すように、三相整流器２の出力電圧Ｅｄ（整流後の電圧）は、周波数が６ｆｓ、最大値と最小値は以下のようになる。
【数２】
0005748694.tif 000003
【００２９】
このとき、図５下段に示すように、スイッチング指令値Ｄは、指令電圧Ｅｏ（短期的には一定）に対する三相整流器２の出力電圧Ｅｄの割合に応じた値として求めることができるので、出力電圧Ｅｄの電圧変化に応じて、スイッチング指令値Ｄの値も変化する。
【００３０】
電源不平衡がない場合、図５左側中段に示すように、三相整流器２の出力電圧Ｅｄの電圧変動幅（最大値と最小値との差分）はほぼ一定となり、図５左側下段に示すように、スイッチング指令値Ｄの変化幅（最大値と最小値との差分）もほぼ一定となる。
一方、電源不平衡がある場合、図５右側中段に示すように、三相整流器２の出力電圧Ｅｄの電圧変動幅（最大値と最小値との差分）は周期により変化し、図５右側下段に示すように、スイッチング指令値Ｄの変化幅（最大値と最小値との差分）が大きくなる。
このようなことから、三相交流電源１の電圧不平衡を直接検出することなく、スイッチング指令値Ｄの変化幅を求めることにより、電源不平衡の発生を検知することが可能となる。
【００３１】
電源電圧不平衡検出手段２４は、電流指令演算手段２０２で演算されたスイッチング指令値Ｄを取得する。そして、三相交流電源１の交流電圧の周期に同期した所定期間における、スイッチング指令値Ｄの最大値と最小値との差分により、電源不平衡の大きさを検出する。例えば、三相交流電源１のゼロクロスを起点とした所定期間（例えば電源の６ｆｓ期間）におけるスイッチング指令値Ｄの最大値、最小値を検出し、その差分を電源不平衡の大きさとして求める。
【００３２】
なお、電源不平衡の大きさの検出方法はこれに限るものではなく、三相交流電源１の交流電圧の周期に同期した所定期間における、スイッチング指令値Ｄの平均値により、電源不平衡の大きさを検出するようにしても良い。
【００３３】
制御手段２０は、電源電圧不平衡検出手段２４が検知した電源不平衡の大きさが、所定値より大きいか否かを判断する。この所定値は、平滑コンデンサ７に流入するリプル電流による芯温度上昇値、素子寿命などを考慮して決定する。
電源不平衡の大きさが所定値以下の場合は、ステップＳ２０に進み、昇圧コンバータ回路３の停止処理を行う。
このように、昇圧動作条件が成立し昇圧動作が継続している場合において、電源電圧不平衡検出手段２４により検出された不平衡状態が所定値より低下すると、圧縮機回転数が回転数記憶手段２２により記憶された回転数より高くても昇圧コンバータ回路３の昇圧動作を停止する。
【００３４】
（Ｓ１９）
電源不平衡の大きさが所定値より大きい場合、制御手段２０は、昇圧コンバータ回路３の昇圧動作を継続して実施する。
【００３５】
（Ｓ２０）
制御手段２０は、昇圧コンバータ回路３の停止処理として、回転数記憶手段２２に記憶された回転数（Ｎ１）をリセットさせる。
（Ｓ２１）
制御手段２０は、昇圧コンバータ回路３のスイッチング素子５の動作を停止させ、昇圧動作を停止させる。
【００３６】
制御手段２０は、再びステップＳ１０に戻り上述した動作を繰り返し行う。
【００３７】
なお、昇圧コンバータ回路３のスイッチング素子５及び逆流防止素子６の少なくとも一方をワイドバンドギャップ半導体によって構成するようにしても良い。ワイドバンドギャップ半導体とは、シリコン（Ｓｉ）素子と比較して、バンドギャップが大きい半導体素子の総称であり、炭化ケイ素（ＳｉＣ）素子の他、例えば、窒化ガリウム（ＧａＮ）、ダイヤモンド素子等が挙げられる。
【００３８】
上述した動作においては、直流電圧の脈動幅（リプル電圧ΔＶ）が所定の閾値より大きい場合、過変調領域以外（通常昇圧領域以外）で昇圧動作を行うこととなるが、昇圧コンバータ回路３のスイッチング素子５及び逆流防止素子６の少なくとも一方をワイドバンドギャップ半導体は電力損失が低いため、スイッチングによる損失増大を抑制することが可能となり、過変調領域以外での昇圧動作の高効率化を図ることができる。
【００３９】
また、ワイドバンドギャップ半導体によって形成されたスイッチング素子やダイオード素子は、高速スイッチングが可能である。また、耐電圧性が高く、許容電流密度も高いため、スイッチング素子５や逆流防止素子６の小型化が可能であり、これら小型化されたスイッチング素子５や逆流防止素子６を用いることにより、これらの素子を組み込んだ半導体モジュールの小型化が可能となる。また耐熱性も高いため、ヒートシンクの放熱フィンの小型化や、水冷部の空冷化が可能であるので、半導体モジュールの一層の小型化が可能になる。
【００４０】
以上のように本実施の形態においては、直流電圧の脈動幅が所定の閾値よりも大きくなったとき、モータの回転数を記憶するとともに、昇圧コンバータ回路３による昇圧動作を開始させ、モータの回転数が記憶した回転数よりも大きい場合、昇圧コンバータ回路３による昇圧動作を継続させる。
このため、交流電源の相間電圧に不平衡がある場合であっても、平滑コンデンサの寿命劣化を抑制し、制御の安定性の向上および信頼性の向上を図ることができる。
また、電源不平衡時においても冷凍空調能力を過剰に抑制することなく冷凍空気調和装置の性能を十分に発揮することができ、直流平滑コンデンサの保護が可能となる。
【００４１】
実施の形態２．
図６は、この発明の実施の形態２におけるモータ駆動制御装置を備えた冷凍空気調和装置の構成を示す図である。
図６に示すように、本実施の形態２におけるモータ駆動制御装置は、上記実施の形態１の構成（図１）に加え、入力電力演算手段２５と、コンバータ動作可否判定手段２６とを備えている。
【００４２】
入力電力演算手段２５は、インバータ回路１０からモータに供給される入力電力を検出する。例えば、入力電力演算手段２５は、インバータ回路１０の出力電圧指令値と、モータ電流検出部１１により検出されたインバータ回路１０の出力電流から入力電力を演算する。なお、入力電力の演算はこれに限るものではない。例えば、冷媒回路の凝縮器３１や蒸発器３３に設けられたファンの回転状態を考慮して入力電力を演算しても良い。
コンバータ動作可否判定手段２６は、入力電力演算手段２５により検出された入力電力に基づき、昇圧コンバータ回路３の昇圧動作の可否を判定する。
なお、その他の構成は実施の形態１と同様であり、同一部分には同一の符号を付する。
【００４３】
図７は、この発明の実施の形態２における昇圧コンバータの制御動作を示すフローチャートである。
以下、本実施の形態２における動作を、実施の形態１との相違点を中心に説明する。なお、実施の形態１と同一の動作には、同一のステップ番号を付し説明を省略する。
【００４４】
本実施の形態２ではステップＳ１５の前に、ステップＳ３１を行う。
（Ｓ３１）
入力電力演算手段２５は、インバータ回路１０からモータに供給される入力電力を検出する。
コンバータ動作可否判定手段２６は、入力電力演算手段２５により検出された入力電力が所定電力よりも大きい場合、昇圧動作が可能であると判定し、入力電力演算手段２５により検出された入力電力が所定電力以下の場合、昇圧動作が可能でないと判定する。
制御手段２０は、コンバータ動作可否判定手段２６の判定結果に基づき、昇圧動作が可能である場合はステップＳ１５に進み、昇圧動作が可能でない場合はステップＳ２０に進む。これにより、入力電力が所定電力以下である軽負荷時には、昇圧動作を行わないように制御する。
【００４５】
このような動作により本実施の形態２においては、直流電圧脈動幅検出手段２１による検出値が所定の閾値を超えた場合においても、コンバータ動作可否判定手段２６により昇圧動作が否と判断された場合は、昇圧コンバータ回路３の昇圧動作を行わない。
また、昇圧動作中において、圧縮機回転数が回転数記憶手段２２により記憶された回転数Ｎ１を上回っている場合においても、コンバータ動作可否判定手段２６により否と判断された場合は昇圧動作を停止する。
同様に電源電圧不平衡検出手段２４による検出値が所定値を超えている場合においても、コンバータ動作可否判定手段２６により否と判断された場合は、昇圧動作を停止する。
【００４６】
以上のように本実施の形態においては、制御手段２０は、直流電圧の脈動幅が所定の閾値よりも大きくなり、且つ、入力電力演算手段２５により検出された入力電力が所定電力よりも大きくなったとき、モータの回転数を記憶するとともに、昇圧コンバータ回路３による昇圧動作を開始させる。また、現在のモータの回転数が記憶した回転数よりも大きい場合であって、入力電力演算手段２５により検出された入力電力が所定電力よりも大きい場合、昇圧コンバータ回路３による昇圧動作を継続させる。
このため、入力電力が所定電力以下である軽負荷時には、昇圧動作を行わないように制御することができる。また、昇圧動作を行うと電源電流が不連続となる場合の整流回路の損失を低減させることができ、信頼性が向上できる。
【００４７】
実施の形態３．
図８は、この発明の実施の形態３におけるモータ駆動制御装置を備えた冷凍空気調和装置の構成を示す図である。
図８に示すように、本実施の形態３におけるモータ駆動制御装置は、上記実施の形態２の構成（図６）に加え、圧縮機３０の吐出圧力を検出する高圧圧力検出手段３４を備えている。
本実施の形態における入力電力演算手段２５は、高圧圧力検出手段３４により得られた高圧圧力の検出値と、圧縮機回転数（インバータ出力周波数）とから入力電力を演算する。
なお、その他の構成は実施の形態２の構成（図６）と同様であり、昇圧コンバータ回路３の制御動作も実施の形態２のフローチャート（図７）と同様である。
このような構成においても、上記実施の形態２と同様の効果を得ることができる。
【符号の説明】
【００４８】
１  三相交流電源、２  三相整流器、３  昇圧コンバータ回路、４  リアクタ、５  スイッチング素子、６  逆流防止素子、７  平滑コンデンサ、８  電流検出部、９  電圧検出部、１０  インバータ回路、１１  モータ電流検出部、２０  制御手段、２１  直流電圧脈動幅検出手段、２２  回転数記憶手段、２３  昇圧レベル最適化手段、２４  電源電圧不平衡検出手段、２５  入力電力演算手段、２６  コンバータ動作可否判定手段、３０  圧縮機、３１  凝縮器、３２  絞り手段、３３  蒸発器、３４  高圧圧力検出手段、２０１  電圧指令演算手段、２０２  電流指令演算手段、２０３  駆動パルス演算手段。
【図１】
0005748694.tif 000004
【図２】
0005748694.tif 000005
【図３】
0005748694.tif 000006
【図４】
0005748694.tif 000007
【図５】
0005748694.tif 000008
【図６】
0005748694.tif 000009
【図７】
0005748694.tif 000010
【図８】
0005748694.tif 000011